(57)【要約】【課題】室内空間の空気調和を行う空気調和装置の室内ユニット（10）について、空調能力を変化させることなく、吹出口（22）から吹き出される空気の風速である吹出速度を変化させる。【解決手段】吹出口（22）のうち空気が吹き出される部分の面積である吹出面積が可変となるように室内ユニット（10）を構成する。また、室内ユニット（10）の運転状態に応じて吹出面積を変化させる制御部（50）を設ける。制御部（50）が吹出面積を変化させると、室内ファン（39）の風量を変化させなくても吹出風速が変化する。【選択図】図１
2008039218.tif 000002
【特許請求の範囲】
【請求項１】
吸込口（23）と吹出口（22）とが形成されたケーシング（34）の内部に室内ファン（39）と室内熱交換器（38）とが収容された空気調和装置の室内ユニットであって、
上記吹出口（22）のうち空気が吹き出される部分の面積である吹出面積が可変となっており、
上記室内ユニット（10）の運転状態に応じて上記吹出面積を変化させる制御部（50）を備えていることを特徴とする空気調和装置の室内ユニット。
【請求項２】
請求項１において、
上記空気調和装置は、冷房運転と暖房運転とを選択的に実行可能に構成されており、
上記制御部（50）は、上記冷房運転と暖房運転とで上記吹出面積を変更するように構成されていることを特徴とする空気調和装置の室内ユニット。
【請求項３】
請求項２において、
上記ケーシング（34）は、上記吹出口（22）からの空気が下方へ吹き出されるように構成される一方、
上記制御部（50）は、上記暖房運転中に比べて冷房運転中の方が上記吹出面積を大きくするように構成されていることを特徴とする空気調和装置の室内ユニット。
【請求項４】
請求項１乃至３の何れか１つにおいて、
上記吹出口（22）は、第１吹出領域（22a）と第２吹出領域（22b）とに区画されており、
上記室内熱交換器（38）を通過した空気が上記第１吹出領域（22a）のみから吹き出される第１状態と、該室内熱交換器（38）を通過した空気が上記第１吹出領域（22a）と上記第２吹出領域（22b）との両方から吹き出される第２状態とを切り換える切換機構（19）を備え、
上記制御部（50）は、上記切換機構（19）の切り換えにより上記吹出面積を変化させることを特徴とする空気調和装置の室内ユニット。
【請求項５】
請求項４において、
上記吹出口（22）は、上記ケーシング（34）の下面に形成され、
上記室内熱交換器（38）は、上記室内ファン（39）の下流側に配置され、
上記ケーシング（34）内には、上記吹出口（22）を出口端とする吹出通路（14）が形成され、
上記吹出通路（14）は、上記第１吹出領域（22a）に通ずる第１吹出通路（14a）と、上流端が該第１吹出通路（14a）に連通して上記第２吹出領域（22b）に通ずる第２吹出通路（14b）とに区画されており、
上記切換機構（19）は、上記第２吹出通路（14b）の上流端を上記第１吹出通路（14a）に連通させる連通部（17）を開閉するように構成され、上記第１状態では該連通部（17）が閉状態になるように設定され上記第２状態では該連通部（17）が開状態になるように設定されることを特徴とする空気調和装置の室内ユニット。
【請求項６】
請求項５において、
上記ケーシング（34）は、室内ファン（39）と室内熱交換器（38）とを収容する箱状のケーシング本体（26）と、該ケーシング本体（26）の下面に取り付けられる化粧パネル（27）とを備える一方、
上記吹出通路（14）のうち上記化粧パネル（27）に形成された部分が、上記第１吹出通路（14a）と上記第２吹出通路（14b）とに区画されていることを特徴とする空気調和装置の室内ユニット。
【請求項７】
請求項５又は６において、
上記吸込口（23）は、上記ケーシング（34）の上面に形成されていることを特徴とする空気調和装置の室内ユニット。
【発明の詳細な説明】
【技術分野】
【０００１】
本発明は、室内空間の空気調和を行う空気調和装置の室内ユニットに関するものである。
【背景技術】
【０００２】
従来より、例えば冷房運転や暖房運転によって室内空間の空気調和を行う空気調和装置の室内ユニットが知られている。特許文献１には、この種の室内ユニットが開示されている。
【０００３】
具体的に、特許文献１の室内ユニットは、内部に各種構成機器を収容するケーシングを備えている。ケーシングは、箱状のケーシング本体と、ケーシング本体の下面に取り付けられる化粧パネルとを備えている。ケーシング本体の内部には、送風機と熱交換器とが設けられている。送風機は、ケーシング本体の真ん中付近に配置されている。熱交換器は、平面視でロ字状に形成され、送風機の側方を囲むように配置されている。化粧パネルには、吸込口と吹出口とが形成されている。吸込口は、送風機の下側に位置している。吹出口は、４つ形成され、それぞれが熱交換器とケーシング本体の側壁の間の下方に位置している。
【特許文献１】特開２００５−２４１２４３号公報
【発明の開示】
【発明が解決しようとする課題】
【０００４】
ところで、空気調和装置の室内ユニットでは、吹出口から吹き出される空気の風速である吹出風速を低減させることにより、静音性やドラフト感など点から居室者の快適性を向上させることが可能である。一方、吹出風速を増加させるることで室内空間の温度分布を均一化させることが可能である。
【０００５】
しかし、従来の室内ユニットでは、運転中に吹出風速を変化させる場合は室内ファンの風量を変化させるので、室内熱交換器における空気と冷媒との熱交換量が変化する。このため、運転中に室内ユニットの空調能力を変化させずに吹出風速を変化させることができなかった。
【０００６】
本発明は、かかる点に鑑みてなされたものであり、その目的とするところは、室内空間の空気調和を行う空気調和装置の室内ユニットについて、空調能力を変化させることなく吹出速度を変化させることにある。
【課題を解決するための手段】
【０００７】
第１の発明は、吸込口（23）と吹出口（22）とが形成されたケーシング（34）の内部に室内ファン（39）と室内熱交換器（38）とが収容された空気調和装置の室内ユニット（10）を対象とする。そして、この室内ユニット（10）は、上記吹出口（22）のうち空気が吹き出される部分の面積である吹出面積が可変となっており、該室内ユニット（10）の運転状態に応じて上記吹出面積を変化させる制御部（50）を備えている。
【０００８】
第１の発明では、制御部（50）が、室内ユニット（10）の運転状態に応じて吹出口（22）のうち空気が吹き出される部分の面積である吹出面積を変化させる。このため、運転中に吹出面積を変化させると、室内ファン（39）の風量を変化させなくても吹出口（22）から吹き出される空気の風速である吹出風速が変化する。
【０００９】
第２の発明は、上記第１の発明において、上記空気調和装置が冷房運転と暖房運転とを選択的に実行可能に構成されており、上記制御部（50）は、上記冷房運転と暖房運転とで上記吹出面積を変更するように構成されている。
【００１０】
第２の発明では、制御部（50）が、冷房運転と暖房運転とで吹出面積を変更するように構成されている。つまり、この室内ユニット（10）では、冷房運転と暖房運転とで吹出風速が変更される。
【００１１】
第３の発明は、上記第２の発明において、上記ケーシング（34）が上記吹出口（22）からの空気が下方へ吹き出されるように構成される一方、上記制御部（50）は、上記暖房運転中に比べて冷房運転中の方が上記吹出面積を大きくするように構成されている。
【００１２】
第３の発明では、ケーシング（34）は吹出口（22）からの空気が下方へ吹き出されるように構成されており、室内ユニット（10）は吹出口（22）が室内空間の上方に開口するように設置される。そして、制御部（50）が、暖房運転中に比べて冷房運転中の方が吹出面積を大きくするように構成されている。つまり、この室内ユニット（10）では、暖房運転中に比べて冷房運転中の方が吹出風速が小さくなる。
【００１３】
第４の発明は、上記第１乃至第３の何れか１つの発明において、上記吹出口（22）は、第１吹出領域（22a）と第２吹出領域（22b）とに区画されており、上記室内熱交換器（38）を通過した空気が上記第１吹出領域（22a）のみから吹き出される第１状態と、該室内熱交換器（38）を通過した空気が上記第１吹出領域（22a）と上記第２吹出領域（22b）との両方から吹き出される第２状態とを切り換える切換機構（19）を備え、上記制御部（50）は、上記切換機構（19）の切り換えにより上記吹出面積を変化させる。
【００１４】
第４の発明では、制御部（50）が、切換機構（19）を第１状態と第２状態との間で切り換えることにより吹出面積を変化させる。第１状態では、室内熱交換器（38）を通過した空気が第１吹出領域（22a）のみから吹き出される。第２状態では、室内熱交換器（38）を通過した空気が第１吹出領域（22a）と第２吹出領域（22b）との両方から吹き出される。
【００１５】
第５の発明は、上記第４の発明において、上記吹出口（22）が上記ケーシング（34）の下面に形成され、上記室内熱交換器（38）が上記室内ファン（39）の下流側に配置され、上記ケーシング（34）内には、上記吹出口（22）を出口端とする吹出通路（14）が形成され、上記吹出通路（14）が、上記第１吹出領域（22a）に通ずる第１吹出通路（14a）と、上流端が該第１吹出通路（14a）に連通して上記第２吹出領域（22b）に通ずる第２吹出通路（14b）とに区画されており、上記切換機構（19）が、上記第２吹出通路（14b）の上流端を上記第１吹出通路（14a）に連通させる連通部（17）を開閉するように構成され、上記第１状態では該連通部（17）が閉状態になるように設定され上記第２状態では該連通部（17）が開状態になるように設定される。
【００１６】
第５の発明では、切換機構（19）が第１状態では連通部（17）を閉状態にし第２状態では連通部（17）を開状態にする。連通部（17）を閉状態する第１状態では、室内熱交換器（38）を通過した空気が、第２吹出通路（14b）には流入せずに第１吹出通路（14a）のみを流通して吹出口（22）の第１吹出領域（22a）のみから吹き出される。連通部（17）を開状態する第２状態では、室内熱交換器（38）を通過した空気が、第１吹出通路（14a）と第２吹出通路（14b）の両方を流通し、第１吹出通路（14a）を流通する空気が第１吹出領域（22a）から吹き出され、第２吹出通路（14b）を流通する空気が第２吹出領域（22b）から吹き出される。
【００１７】
第６の発明は、上記第５の発明において、上記ケーシング（34）が、室内ファン（39）と室内熱交換器（38）とを収容する箱状のケーシング本体（26）と、該ケーシング本体（26）の下面に取り付けられる化粧パネル（27）とを備える一方、上記吹出通路（14）のうち上記化粧パネル（27）に形成された部分が、上記第１吹出通路（14a）と上記第２吹出通路（14b）とに区画されている。
【００１８】
第６の発明では、吹出通路（14）のうち化粧パネル（27）に形成された部分を、第１吹出通路（14a）と第２吹出通路（14b）とに区画している。つまり、吹出面積を可変にする構成である第１吹出通路（14a）及び上記第２吹出通路（14b）が、化粧パネル（27）にのみ形成されている。
【００１９】
第７の発明は、上記第５又は第６の発明において、上記吸込口（23）が、上記ケーシング（34）の上面に形成されている。
【００２０】
第７の発明では、ケーシング（34）の上面に吸込口（23）が形成され、ケーシング（34）の下面に吹出口（22）が形成されている。この室内ユニット（10）では、吹出口（22）から離れた位置に吸込口（23）が形成されている。従って、吹出口（22）から吹き出された空気がそのまま吸込口（23）から吸い込まれる、いわゆるショートサーキットが防止される。
【発明の効果】
【００２１】
本発明によれば、吹出面積が可変になっているので、室内ファン（39）の風量を変化させずに吹出風速だけを変化させることができる。このため、吹出面積を変化させて吹出風速を変化させる場合は、室内熱交換器（38）における空気と冷媒との熱交換量が変化しないので室内ユニット（10）の空調能力も変化しない。すなわち、空調能力を変化させることなく吹出風速を変化させることができる。
【００２２】
また、上記第３の発明では、吹出口（22）が室内空間の上方に開口するように設置される室内ユニット（10）について、暖房運転中に比べて冷房運転中の方が吹出面積を大きくするので、冷房運転中は吹出風速が比較的小さくなり、暖房運転中は吹出風速が比較的大きくなる。よって、冷房運転中は吹出口（22）から吹き出されて居室者にあたる空気の風速が抑制されるので、ドラフト感を低減して居室者の快適性を向上させることができる。また、暖房運転中は吹出口（22）からの暖気を室内空間の床面付近に到達させることができるので、暖気を居室者の周囲にゆき渡らせて居室者の快適性を向上させることができる。
【００２３】
また、上記第６の発明では、吹出面積を可変にする構成である第１吹出通路（14a）及び上記第２吹出通路（14b）が化粧パネル（27）にのみ形成されるようにしている。従って、ケーシング本体（26）内の空気の通路を従来から変更することなく化粧パネル（27）の構成のみを変更することによって、吹出面積が可変になっている室内ユニット（10）を構成することができる。
【００２４】
また、上記第７の発明では、ケーシング（34）の上面に吸込口（23）を形成し、ケーシング（34）の下面に吹出口（22）を形成することで、ショートサーキットを防止している。ここで、吸込口（23）がケーシング（34）の下面に形成された室内ユニットでは、吹出面積が大きくなる状態にして吹出風速を低下させると、ショートサーキットのおそれが増加する。従って、この第７の発明では、ショートサーキットによる空調効率の低下を招くことなく、吹出速度を低減させて静音性やドラフト感の面から居室者の快適性を向上させることができる。
【発明を実施するための最良の形態】
【００２５】
以下、本発明の実施形態を図面に基づいて詳細に説明する。
【００２６】
本実施形態の空気調和装置の室内ユニット（10）は、図示しない室外ユニットと共に空気調和装置を構成している。室内ユニット（10）は、冷媒配管を介して室外ユニットに接続される。この空気調和装置は、冷房運転と暖房運転とを選択的に実行可能に構成されている。
【００２７】
本実施形態の室内ユニット（10）は、図１に示すように、システム天井に設置される室内ユニット（10）であり、後述する吹出口（22）からの空気が下方へ吹き出されるように構成されている。システム天井では、格子状の枠部材（30）の各枠に、室内ユニット（10）と共に天井板（31）などが設置されている。システム天井では、天井裏の空気環境が室内空間とほぼ同じである。このため、この室内ユニット（10）は、天井裏の空気を吸い込んで室内空間へ吹き出すように構成されている。
【００２８】
図１及び図２に示すように、室内ユニット（10）は、略直方体状のケーシング（34）を備えている。ケーシング（34）は、平面形状がシステム天井の枠部材（30）の枠に合わせて形成されており、箱状のケーシング本体（26）と、ケーシング本体（26）の下面に取り付けられる化粧パネル（27）とを備えている。ケーシング本体（26）には、室内ファン（39）と室内熱交換器（38）とドレンパン（40）とが収容されている。ケーシング本体（26）の上面には、吸込口（23）が形成されている。化粧パネル（27）には、吹出口（22）が形成されている。なお、図示しないが、吸込口（23）の裏側には、吸込空気の塵埃を除去するためのフィルタが設けられている。
【００２９】
室内ファン（39）は、いわゆるターボファンとして構成されている。室内ファン（39）は、ケーシング本体（26）の真ん中付近に配置され、吸込口（23）の下側に位置している。室内ファン（39）は、ファンモータ（39a）と羽根車（39b）とを備えている。ファンモータ（39a）は、ケーシング本体（26）の底板に固定されている。羽根車（39b）は、ファンモータ（39a）の回転軸に連結されている。室内ファン（39）の上側には、吸込口（23）に連通するベルマウス（25）が設けられている。室内ファン（39）は、ベルマウス（25）を介して上側から吸い込んだ空気を側方へ吹き出すように構成されている。
【００３０】
室内熱交換器（38）は、クロスフィン式のフィン・アンド・チューブ型熱交換器として構成されている。室内熱交換器（38）は、平面視でロ字状に形成され、室内ファン（39）の側方を囲うように配置されている。室内熱交換器（38）では、４角のうちの１箇所が僅かに開口している。その開口を挟む室内熱交換器（38）の端部の一方には、ケーシング（34）の側面に設けられた接続ポートから延びるガス側冷媒配管と液側冷媒配管とが接続されている（図示省略）。これら接続ポートには、室外ユニットからの冷媒配管が接続される。
【００３１】
ドレンパン（40）は、室内熱交換器（38）の下側に設けられている。ドレンパン（40）は、室内熱交換器（38）において空気中の水分が凝縮されて生じるドレン水を受けるためのものである。ドレンパン（40）には、ドレン水を排水するためのドレンポンプが設けられている（図示省略）。ドレンパン（40）は、ドレンポンプを設置した箇所にドレン水が集まるように勾配がつけられている。
【００３２】
ケーシング（34）には、空気通路（15）と吹出通路（14）とが形成されている。空気通路（15）は、ケーシング本体（26）の側壁と室内熱交換器（38）とに挟まれている。空気通路（15）は、ケーシング本体（26）の天板からドレンパン（40）の下端の高さまで形成されている。吹出通路（14）は、空気通路（15）の下端から化粧パネル（27）の下面まで形成されており、ドレンパン（40）の下側で内側へ拡大している。吹出通路（14）は、仕切壁（18）により外側の第１吹出通路（14a）と内側の第２吹出通路（14b）とに区画されている。仕切壁（18）は化粧パネル（27）の上面から下面まで形成されており、第２吹出通路（14b）の上端は仕切壁（18）の上端とドレンパン（40）の下面との間の連通部（17）を通じて第１吹出通路（14a）に連通している。
【００３３】
ドレンパン（40）の外側壁の下端付近には、連通部（17）を開閉するためのダンパ（19）が設けられている。ダンパ（19）は、後述する第１状態と第２状態とを切り換える切換機構を構成している。ダンパ（19）は、ドレンパン（40）に固定される軸部材を中心に内側へ回転可能に構成されている。ダンパ（19）を閉状態にすると、第１吹出通路（14a）と第２吹出通路（14b）とが連通しない第１状態になる。ダンパ（19）を開状態にすると、第１吹出通路（14a）と第２吹出通路（14b）とが連通する第２状態になる。
【００３４】
図３示すように、吹出口（22）は、化粧パネル（27）に４箇所形成されている。各吹出口（22）は、化粧パネル（27）の各辺に沿うように形成されている。各吹出口（22）は、それぞれが仕切壁（18）によって外側の第１吹出領域（22a）と内側の第２吹出領域（22b）とに区画されている。第１吹出領域（22a）と第２吹出領域（22b）とは、共に細長い矩形状に形成されている。第１吹出領域（22a）は第１吹出通路（14a）の下端に位置している。第２吹出領域（22b）は第２吹出通路（14b）の下端に位置している。
【００３５】
室内ユニット（10）には、ダンパ（19）の開閉を制御するコントローラ（50）が制御部として設けられている。コントローラ（50）がダンパ（19）の開閉を制御すると、吹出口（22）のうち空気が吹き出される部分の面積である吹出面積が変化する。コントローラ（50）は、冷房運転と暖房運転とで吹出面積を変更するように構成されており、暖房運転中に比べて冷房運転中の方が吹出面積を大きくする。
【００３６】
具体的に、コントローラ（50）は、室内ユニット（10）の運転状態が暖房運転時にはダンパ（19）を閉状態に設定し、室内ユニット（10）の運転状態が冷房運転時にはダンパ（19）を開状態に設定する。ダンパ（19）が閉状態に設定されると、第１状態になり、室内熱交換器（38）を通過した空気が第１吹出通路（14a）を通じて第１吹出領域（22a）のみから室内空間へ吹き出される。第１状態では、吹出面積が第１吹出領域（22a）の面積となる。ダンパ（19）が開状態に設定されると、第２状態になり、室内熱交換器（38）を通過した空気が、第１吹出通路（14a）を通じて第１吹出領域（22a）から室内空間へ吹き出されると共に第２吹出通路（14b）を通じて第２吹出領域（22b）から室内空間へ吹き出される。第２状態では、吹出面積が第１吹出領域（22a）と第２吹出領域（22b）との合計面積となる。
【００３７】
−実施形態の効果−
上記実施形態によれば、吹出面積が可変になっているので、室内ファン（39）の風量を変化させずに吹出風速だけを変化させることができる。このため、吹出面積を変化させて吹出風速を変化させる場合は、室内熱交換器（38）における空気と冷媒との熱交換量が変化しないので室内ユニット（10）の空調能力も変化しない。すなわち、空調能力を変化させることなく吹出風速を変化させることができる。
【００３８】
また、上記実施形態では、暖房運転中に比べて冷房運転中の方が吹出面積を大きくするので、冷房運転中は吹出風速が比較的小さくなり、暖房運転中は吹出風速が比較的大きくなる。よって、冷房運転中は吹出口（22）から吹き出されて居室者にあたる空気の風速が抑制されるので、ドラフト感を低減して居室者の快適性を向上させることができる。また、暖房運転中は吹出口（22）からの暖気を室内空間の床面付近に到達させることができるので、暖気を居室者の周囲にゆき渡らせて居室者の快適性を向上させることができる。
【００３９】
また、上記実施形態では、ケーシング（34）の上面に吸込口（23）を形成し、ケーシング（34）の下面に吹出口（22）を形成することで、ショートサーキットを防止している。ここで、吸込口（23）がケーシング（34）の下面に形成された室内ユニットでは、吹出面積が大きくなる状態にして吹出風速を低下させると、ショートサーキットのおそれが増加する。従って、この実施形態では、ショートサーキットによる空調効率の低下を招くことなく、吹出速度を低減させて静音性やドラフト感の面から居室者の快適性を向上させることができる。
【００４０】
−実施形態の変形例１−
実施形態の変形例１について説明する。この変形例１では、図４に示すように、吹出通路（14）が、化粧パネル（27）のみに形成されており、その化粧パネル（27）で第１吹出通路（14a）と第２吹出通路（14b）とに区画されている。第１吹出通路（14a）と第２吹出通路（14b）とは、化粧パネル（27）の上面から下面に至るまで形成されている。この変形例１では、仕切壁（18）が化粧パネル（27）の下面から真ん中付近の高さまで形成されている。
【００４１】
この変形例１では、第１吹出通路（14a）と第２吹出通路（14b）とが、ケーシング本体（26）の底板と仕切壁（18）の上端との間の連通部（17）を通じて連通している。この連通部（17）を開閉するダンパ（19）は、仕切壁（18）の上端付近に設けられている。ダンパ（19）は、仕切壁（18）に固定される軸部材を中心に外側へ回転可能に構成されている。
【００４２】
この変形例１では、吹出面積を可変にする構成である第１吹出通路（14a）及び上記第２吹出通路（14b）が化粧パネル（27）にのみ形成されるようにしている。従って、ケーシング本体（26）内の空気の通路を従来から変更することなく化粧パネル（27）の構成のみを変更することによって、吹出面積が可変になっている室内ユニット（10）を構成することができる。
【００４３】
また、この変形例１の化粧パネル（27）によれば、吹出面積が可変になっていない室内ユニット（10）に対して適用することで、例えば既設の室内ユニットの吹出面積を可変にすることができる。
【００４４】
−実施形態の変形例２−
実施形態の変形例２について説明する。この変形例２では、コントローラ（50）が、室内ユニット（10）の運転状態に応じて通常運転モードと足元運転モードとを選択的に行うように構成されている。具体的に、通常運転モードでは、コントローラ（50）はダンパ（19）を開状態に設定する。足元運転モードでは、コントローラ（50）はダンパ（19）を閉状態に設定する。足元運転モードを実行すると、吹出口（22）から吹き出される空気の吹出風速が、通常運転モードに比べて大きくなる。従って、吹出口（22）からの空気をユーザーの足元までゆき渡らせて、室内空間の温度を均一化することが可能になる。
【００４５】
−実施形態の変形例３−
実施形態の変形例３について説明する。この変形例３では、コントローラ（50）が、室内ユニット（10）の運転状態に応じて通常運転モードと静音運転モード（ドラフトレス運転モード）とを選択的に行うように構成されている。具体的に、通常運転モードでは、コントローラ（50）はダンパ（19）を閉状態に設定する。静音運転モードでは、コントローラ（50）はダンパ（19）を開状態に設定する。静音運転モードを実行すると、吹出口（22）から吹き出される空気の吹出風速が、通常運転モードに比べて小さくなる。従って、静音性やドラフト感の点から通常運転に比べてユーザーの快適性が向上する。
【００４６】
《その他の実施形態》
上記実施形態について、室内ユニット（10）は壁掛け型として構成されていてもよいし、床置き型として構成されていてもよい。なお、吹出口（22）が室内空間の下方に開口するように室内ユニット（10）を設置する場合は、コントローラ（50）が、冷房運転中に比べて暖房運転中の方が吹出面積が大きくなるように、冷房運転時にはダンパ（19）を閉状態に設定して暖房運転時にはダンパ（19）を開状態に設定するようにしてもよい。
【００４７】
また、上記実施形態について、室内ユニット（10）をシステム天井ではなく通常の天井に設置してもよい。この場合は、吸込口（23）が化粧パネル（27）に形成される。室内ファン（39）は、ファンモータ（39a）がケーシング本体（26）の天板に取り付けられる。室内ファン（39）は、空気を下側から吸い込んで周方向へ吹き出す。
【００４８】
また、上記実施形態について、吹出通路（14）が、ドレンパン（40）の下側だけでなくさらに室内ファン（39）の下側にまで広がっていてもよい。
【００４９】
また、上記実施形態について、本発明に係る室内ユニット（10）を、吹出口（22）が化粧パネル（27）に２箇所形成された２方向吹出の室内ユニットとして構成してもよい。この場合、ケーシング本体（26）には、平板状の室内熱交換器（38）が２つ設けられる。そして、室内熱交換器（38）は、室内ファン（39）を挟むように対面して配置される。吹出口（22）は、化粧パネル（27）の中央部を挟むように対面して配置される。なお、本発明に係る室内ユニット（10）を、１方向吹出の室内ユニットとして構成してもよいし、２方向や４方向以外の複数方向吹出の室内ユニットとして構成してもよい。
【００５０】
また、上記実施形態について、吹出口（22）が３つ以上の領域に区画されていてもよい。この場合、第２吹出領域（22b）の内側にさらに吹出領域が形成され、その吹出領域から上側に延びる吹出通路が第２吹出通路（14b）に連通する状態で形成される。
【００５１】
また、上記実施形態について、吹出口（22）を区画せずに、図５に示すように、吹出通路（14）の内側を区画する区画部材（12）を移動させることによって吹出口（22）の吹出面積を変化させるようにしてもよい。
【００５２】
また、上記実施形態について、コントローラ（50）は、室内ユニット（10）の運転状態としての室内ファン（39）の風量に応じて、ダンパ（19）を開閉を制御するように構成されていてもよい。コントローラ（50）は、例えば室内ファン（39）の風量が比較的大きい場合はダンパ（19）を開状態に設定し、室内ファン（39）の風量が比較的小さい場合はダンパ（19）を閉状態に設定する。
【００５３】
また、上記実施形態について、コントローラ（50）は、室内ユニット（10）の運転状態として、室内空気の温度を計測するセンサの計測値や、吹出口（22）から吹き出される空気の温度を計測するセンサの計測値に応じて、ダンパ（19）を開閉を制御するように構成されていてもよい。
【００５４】
なお、以上の実施形態は、本質的に好ましい例示であって、本発明、その適用物、あるいはその用途の範囲を制限することを意図するものではない。
【産業上の利用可能性】
【００５５】
以上説明したように、本発明は、室内空間の空気調和を行う空気調和装置の室内ユニットについて有用である。
【図面の簡単な説明】
【００５６】
【図１】本発明の実施形態に係る室内ユニットの断面図である。
【図２】本発明の実施形態に係る室内ユニットのケーシング本体の内部の平面図である。
【図３】本発明の実施形態に係る室内ユニットの化粧パネルを室内空間から見た平面図である。
【図４】本発明の実施形態の変形例１に係る室内ユニットの断面図である。
【図５】その他の実施形態に係る室内ユニットの断面図である。
【符号の説明】
【００５７】
10  室内ユニット
14  吹出通路
14a 第１吹出通路
14b 第２吹出通路
17  連通部
19  ダンパ（切換機構）
22  吹出口
22a 第１吹出領域
22b 第２吹出領域
23  吸込口
26  ケーシング本体
27  化粧パネル
34  ケーシング
38  室内熱交換器
39  室内ファン
50  コントローラ（制御部）
【図１】
2008039218.tif 000003
【図２】
2008039218.tif 000004
【図３】
2008039218.tif 000005
【図４】
2008039218.tif 000006
【図５】
2008039218.tif 000007